(57)【要約】【課題】Ｆイオン、Ａｌイオン、Ｎａイオンを含む被処理水を逆浸透膜処理するときに発生するスケールを簡易な方法で除去することができる水処理方法および水処理装置を提供する。【解決手段】Ｆイオン、Ａｌイオン、Ｎａイオンを含む被処理水を逆浸透膜に通水して濃縮水と透過水とを得る逆浸透膜処理工程を含み、濃縮水におけるＦイオン、Ａｌイオン、Ｎａイオンのイオン濃度がそれぞれ０．１ｍｇ／Ｌ以上かつ、イオン濃度の総量が４１８ｍｇ／Ｌ以上であり、逆浸透膜処理工程における流量、圧力、水温の値から算出される標準化透過水量と、予め設定された初期標準化透過水量との比率が規定値となったときに、被処理水の通水を、濃縮水におけるＦイオン、Ａｌイオン、Ｎａイオンのイオン濃度の総量が４１８ｍｇ／Ｌ未満である洗浄水の通水に切り替える、水処理方法である。【選択図】なし【特許請求の範囲】
【請求項１】
Ｆイオン、Ａｌイオン、Ｎａイオンを含む被処理水を逆浸透膜に通水して濃縮水と透過水とを得る逆浸透膜処理工程を含み、
前記濃縮水におけるＦイオン、Ａｌイオン、Ｎａイオンのイオン濃度がそれぞれ０．１ｍｇ／Ｌ以上かつ、前記イオン濃度の総量が４１８ｍｇ／Ｌ以上であり、
前記逆浸透膜処理工程における流量（ｍ３／ｄ）、圧力（ＭＰａ）、水温（℃）の値から算出される標準化透過水量（ｍ／ｄ／ＭＰａ  ａｔ  ２５℃）と、予め設定された初期標準化透過水量（ｍ／ｄ／ＭＰａ  ａｔ  ２５℃）との比率が規定値となったときに、前記被処理水の通水を、濃縮水におけるＦイオン、Ａｌイオン、Ｎａイオンのイオン濃度の総量が４１８ｍｇ／Ｌ未満である洗浄水の通水に切り替えることを特徴とする水処理方法。
【請求項２】
請求項１に記載の水処理方法であって、
前記比率の規定値として、５０％から９０％の範囲の値を設定することを特徴とする水処理方法。
【請求項３】
請求項１または２に記載の水処理方法であって、
前記洗浄水として電気伝導率２０μＳ／ｃｍ以下の水を用いることを特徴とする水処理方法。
【請求項４】
請求項１〜３のいずれか１項に記載の水処理方法であって、
前記逆浸透膜処理工程の前段に前段逆浸透膜処理工程を含み、前記被処理水が、前記前段逆浸透膜処理工程で得られる濃縮水であることを特徴とする水処理方法。
【請求項５】
請求項１〜４のいずれか１項に記載の水処理方法であって、
前記洗浄水として前記前段逆浸透膜処理工程で得られる透過水を用いることを特徴とする水処理方法。
【請求項６】
Ｆイオン、Ａｌイオン、Ｎａイオンを含む被処理水を逆浸透膜に通水して濃縮水と透過水とを得る逆浸透膜処理手段を備え、
前記濃縮水におけるＦイオン、Ａｌイオン、Ｎａイオンのイオン濃度がそれぞれ０．１ｍｇ／Ｌ以上かつ、前記イオン濃度の総量が４１８ｍｇ／Ｌ以上であり、
前記逆浸透膜処理手段における流量（ｍ３／ｄ）、圧力（ＭＰａ）、水温（℃）の値から算出される標準化透過水量（ｍ／ｄ／ＭＰａ  ａｔ  ２５℃）と、予め設定された初期標準化透過水量（ｍ／ｄ／ＭＰａ  ａｔ  ２５℃）との比率が規定値となったときに、前記被処理水の通水を、濃縮水におけるＦイオン、Ａｌイオン、Ｎａイオンのイオン濃度の総量が４１８ｍｇ／Ｌ未満である洗浄水の通水に切り替えることを特徴とする水処理装置。
【請求項７】
請求項６に記載の水処理装置であって、
前記比率の規定値として、５０％から９０％の範囲の値を設定することを特徴とする水処理装置。
【請求項８】
請求項６または７に記載の水処理装置であって、
前記洗浄水として電気伝導率２０μＳ／ｃｍ以下の水を用いることを特徴とする水処理装置。
【請求項９】
請求項６〜８のいずれか１項に記載の水処理装置であって、
前記逆浸透膜処理手段の前段に前段逆浸透膜処理手段を備え、前記被処理水が、前記前段逆浸透膜処理手段で得られる濃縮水であることを特徴とする水処理装置。
【請求項１０】
請求項６〜９のいずれか１項に記載の水処理装置であって、
前記洗浄水として前記前段逆浸透膜処理手段で得られる透過水を用いることを特徴とする水処理装置。
【発明の詳細な説明】
【技術分野】
【０００１】
本発明は、逆浸透膜を用いる水処理方法および水処理装置に関する。
【背景技術】
【０００２】
近年、純水製造や水回収等において、逆浸透膜が用いられる機会が増加している。水中の不溶解成分等が逆浸透膜の膜面、配管および装置等に付着、堆積するスケーリングは、逆浸透膜の運転管理の中でも重要な項目の一つである。スケールの要因となることが多く注目されるものとしては、炭酸カルシウムを始めとした硬度系スケール、またはシリカ系のスケールが挙げられる。そのようなスケールには、例えばポリアクリル酸、ポリマレイン酸、ホスホン酸等の分散剤を添加して対策している。そのような対策をしてもスケーリングが避けられない場合には、回収率を下げる、または薬品洗浄を実施する等の対応が必要となる。
【０００３】
例えば半導体工場の排水等のＦイオン（フッ化物イオン）、Ａｌイオン（アルミニウムイオン）、Ｎａイオン（ナトリウムイオン）を含む排水を逆浸透膜処理するときにスケーリングが発生する場合があり、対策が求められている。
【先行技術文献】
【特許文献】
【０００４】
【特許文献１】特許第４４９６７９５号公報
【特許文献２】特開２０１７−２０９６５４号公報
【発明の概要】
【発明が解決しようとする課題】
【０００５】
本発明の目的は、Ｆイオン、Ａｌイオン、Ｎａイオンを含む被処理水を逆浸透膜処理するときに発生するスケールを簡易な方法で除去することができる水処理方法および水処理装置を提供することにある。
【課題を解決するための手段】
【０００６】
本発明は、Ｆイオン、Ａｌイオン、Ｎａイオンを含む被処理水を逆浸透膜に通水して濃縮水と透過水とを得る逆浸透膜処理工程を含み、前記濃縮水におけるＦイオン、Ａｌイオン、Ｎａイオンのイオン濃度がそれぞれ０．１ｍｇ／Ｌ以上かつ、前記イオン濃度の総量が４１８ｍｇ／Ｌ以上であり、前記逆浸透膜処理工程における流量（ｍ３／ｄ）、圧力（ＭＰａ）、水温（℃）の値から算出される標準化透過水量（ｍ／ｄ／ＭＰａ  ａｔ  ２５℃）と、予め設定された初期標準化透過水量（ｍ／ｄ／ＭＰａ  ａｔ  ２５℃）との比率が規定値となったときに、前記被処理水の通水を、濃縮水におけるＦイオン、Ａｌイオン、Ｎａイオンのイオン濃度の総量が４１８ｍｇ／Ｌ未満である洗浄水の通水に切り替える、水処理方法である。
【０００７】
前記水処理方法において、前記比率の規定値として、５０％から９０％の範囲の値を設定することが好ましい。
【０００８】
前記水処理方法において、前記洗浄水として電気伝導率２０μＳ／ｃｍ以下の水を用いることが好ましい。
【０００９】
前記水処理方法において、前記逆浸透膜処理工程の前段に前段逆浸透膜処理工程を含み、前記被処理水が、前記前段逆浸透膜処理工程で得られる濃縮水であることが好ましい。
【００１０】
前記水処理方法において、前記洗浄水として前記前段逆浸透膜処理工程で得られる透過水を用いることが好ましい。
【００１１】
また、本発明は、Ｆイオン、Ａｌイオン、Ｎａイオンを含む被処理水を逆浸透膜に通水して濃縮水と透過水とを得る逆浸透膜処理手段を備え、前記濃縮水におけるＦイオン、Ａｌイオン、Ｎａイオンのイオン濃度がそれぞれ０．１ｍｇ／Ｌ以上かつ、前記イオン濃度の総量が４１８ｍｇ／Ｌ以上であり、前記逆浸透膜処理手段における流量（ｍ３／ｄ）、圧力（ＭＰａ）、水温（℃）の値から算出される標準化透過水量（ｍ／ｄ／ＭＰａ  ａｔ  ２５℃）と、予め設定された初期標準化透過水量（ｍ／ｄ／ＭＰａ  ａｔ  ２５℃）との比率が規定値となったときに、前記被処理水の通水を、濃縮水におけるＦイオン、Ａｌイオン、Ｎａイオンのイオン濃度の総量が４１８ｍｇ／Ｌ未満である洗浄水の通水に切り替える、水処理装置である。
【００１２】
前記水処理装置において、前記比率の規定値として、５０％から９０％の範囲の値を設定することが好ましい。
【００１３】
前記水処理装置において、前記洗浄水として電気伝導率２０μＳ／ｃｍ以下の水を用いることが好ましい。
【００１４】
前記水処理装置において、前記逆浸透膜処理手段の前段に前段逆浸透膜処理手段を備え、前記被処理水が、前記前段逆浸透膜処理手段で得られる濃縮水であることが好ましい。
【００１５】
前記水処理装置において、前記洗浄水として前記前段逆浸透膜処理手段で得られる透過水を用いることが好ましい。
【発明の効果】
【００１６】
本発明により、Ｆイオン、Ａｌイオン、Ｎａイオンを含む被処理水を逆浸透膜処理するときに発生するスケールを簡易な方法で除去することができる水処理方法および水処理装置が提供される。
【図面の簡単な説明】
【００１７】
【図１】本発明の実施形態に係る水処理装置の一例を示す概略構成図である。
【図２】本発明の実施形態に係る水処理装置の他の例を示す概略構成図である。
【図３】実施例１，２および比較例における、透過水量保持率（％）の経時変化を示すグラフである。
【発明を実施するための形態】
【００１８】
本発明の実施の形態について以下説明する。本実施形態は本発明を実施する一例であって、本発明は本実施形態に限定されるものではない。
【００１９】
本発明の実施形態に係る水処理装置の一例の概略を図１に示し、その構成について説明する。
【００２０】
図１の水処理装置１は、Ｆイオン（すなわち、フッ化物イオン）、Ａｌイオン（すなわち、アルミニウムイオン）、Ｎａイオン（すなわち、ナトリウムイオン）を含む被処理水を逆浸透膜に通水して濃縮水と透過水とを得る逆浸透膜処理手段として逆浸透膜処理装置１０を備える。
【００２１】
図１の水処理装置１において、逆浸透膜処理装置１０の入口には、被処理水配管１２がバルブ２０を介して接続され、被処理水配管１２におけるバルブ２０の下流側には、洗浄水配管１４がバルブ２２を介して接続されている。逆浸透膜処理装置１０の濃縮水出口には、濃縮水配管１６が接続され、逆浸透膜処理装置１０の透過水出口には、透過水配管１８が接続されている。濃縮水配管１６には、濃縮水中のＦイオン、Ａｌイオン、Ｎａイオン等のイオン濃度を測定するイオン濃度測定手段として、イオン濃度測定装置が設置されてもよい。透過水配管１８には、透過水の流量を測定する流量測定手段として流量計と、透過水の圧力を測定する圧力測定手段として圧力計と、透過水の温度を測定する水温測定手段として水温計と、が設置されてもよい。
【００２２】
本実施形態に係る水処理方法および水処理装置１の動作について説明する。
【００２３】
図１の水処理装置１において、バルブ２０が開状態、バルブ２２が閉状態とされ、Ｆイオン、Ａｌイオン、Ｎａイオンを含む被処理水は、被処理水配管１２を通して逆浸透膜処理装置１０へ送液され、逆浸透膜処理装置１０において逆浸透膜に通水されて濃縮水と透過水とが得られる（逆浸透膜処理工程）。逆浸透膜処理で得られた濃縮水は、濃縮水配管１６を通して排出され、透過水は、透過水配管１８を通して排出される。
【００２４】
ここで、イオン濃度測定装置により測定された、濃縮水におけるＦイオン、Ａｌイオン、Ｎａイオンのイオン濃度がそれぞれ０．１ｍｇ／Ｌ以上であり、かつ、Ｆイオン、Ａｌイオン、Ｎａイオンのイオン濃度の総量が４１８ｍｇ／Ｌ以上となり、例えば流量計により測定された透過水の流量（ｍ３／ｄ）、圧力計により測定された透過水の圧力（ＭＰａ）、水温計により測定された透過水の水温（℃）の値から算出される標準化透過水量（ｍ／ｄ／ＭＰａ  ａｔ  ２５℃）と、予め設定された初期標準化透過水量（ｍ／ｄ／ＭＰａ  ａｔ  ２５℃）との比率が規定値となったときに、バルブ２０が閉状態、バルブ２２が開状態とされ、被処理水の通水を、濃縮水におけるＦイオン、Ａｌイオン、Ｎａイオンのイオン濃度の総量が４１８ｍｇ／Ｌ未満である洗浄水の通水に切り替え、逆浸透膜処理装置１０の逆浸透膜の洗浄が行われる（洗浄工程）。ここで、標準化透過水量は、ＪＩＳ  Ｋ３８０２  １０９６にて定義されている補正フラックスと同義であり、単位時間あたり、単位膜面積あたり、単位圧力あたりの、２５℃における透過水量のことである。具体的には、透過水量（ｍ３／ｄ）を、逆浸透膜エレメントの膜面積（ｍ２）と操作圧力（ＭＰａ）で割り、水温（℃）による補正係数を乗じることで求められる。標準化透過水量と初期標準化透過水量との比率（％）は、（標準化透過水量／初期標準化透過水量）×１００により求められる。なお、逆浸透膜の透過水量は通水開始直後には不安定であることが多いため、初期の透過水量は逆浸透膜の透過水量が安定してから測定することが望ましい。例えば、逆浸透膜への通水開始後２４時間経過した時点で初期の透過水量を測定すればよい。
【００２５】
本発明者らは、例えば半導体工場の排水等のＦイオン、Ａｌイオン、Ｎａイオンを含む排水を逆浸透膜処理するときに、主にヘキサフルオロアルミン酸三ナトリウム（Ｎａ３ＡｌＦ６）によるスケーリングが発生することを見出した。Ｎａ３ＡｌＦ６の水に対する溶解度（２５℃）は４１８ｍｇ／Ｌと高く、Ｎａ３ＡｌＦ６は一般的にはスケーリングがほとんど発生しない物質であると考えられる。しかし、Ｆイオン、Ａｌイオン、Ｎａイオンの３種のイオンがそれぞれ少なくとも０．１ｍｇ／Ｌ以上存在し、それらのイオン濃度の総量がＮａ３ＡｌＦ６の溶解度である４１８ｍｇ／Ｌを超える水では、Ｎａ３ＡｌＦ６が析出する可能性が考えられ、特に逆浸透膜を用いた水処理では濃度分極の効果も相まってＮａ３ＡｌＦ６を主成分とするスケールの発生が促進されると考えられる。
【００２６】
また、本発明者らは、さらに、このＮａ３ＡｌＦ６を主成分とするスケールが、純水等の清澄な水で容易に洗浄されることも見出した。したがって、スケーリングを抑制するために、回収率を下げる、または薬品洗浄を実施する等の対応を行わなくてもよい。
【００２７】
洗浄水としては、Ｆイオン、Ａｌイオン、Ｎａイオンの濃度が低いことが第一に考えられ、濃縮水におけるＦイオン、Ａｌイオン、Ｎａイオンのイオン濃度の総量が４１８ｍｇ／Ｌ未満である洗浄水を用いればよい。また、洗浄水として電気伝導率２０μＳ／ｃｍ以下の水を用いることが好ましく、１０μＳ／ｃｍ以下の水を用いることがより好ましい。洗浄水としては、有機物等他の汚染物質が含まれていないことが好ましく、例えば、逆浸透膜の前処理膜（ＭＦ膜、ＵＦ膜）の処理水、逆浸透膜の透過水、純水、超純水等が挙げられる。
【００２８】
洗浄工程のタイミングは、運転初期の透過水量を把握しておき、それがある規定値まで低減した時点で洗浄する手法が考えられる。また、このとき透過水量の算出には、圧力（ＭＰａ）、水温（℃）の測定データを用いて、圧力補正、温度補正を行うことで標準化透過水量を算出することによって、正確な判断が可能となる。すなわち、逆浸透膜処理工程における流量（ｍ３／ｄ）、圧力（ＭＰａ）、水温（℃）の値から算出される標準化透過水量（ｍ／ｄ／ＭＰａ  ａｔ  ２５℃）と、予め設定された初期標準化透過水量（ｍ／ｄ／ＭＰａ  ａｔ  ２５℃）との比率が規定値となったときに、被処理水の通水を、濃縮水におけるＦイオン、Ａｌイオン、Ｎａイオンのイオン濃度の総量が４１８ｍｇ／Ｌ未満である洗浄水の通水に切り替えればよい。
【００２９】
この規定値は、高過ぎても洗浄頻度が多くなり過ぎ、低すぎると一度の洗浄で十分に回復しないことから、例えば５０％から９０％の範囲の値を設定すればよく、７０％から８０％の範囲の値を設定することが好ましい。
【００３０】
上記洗浄工程を行う場合の被処理水は、濃縮水におけるＦイオン、Ａｌイオン、Ｎａイオンのイオン濃度がそれぞれ０．１ｍｇ／Ｌ以上であり、かつ、Ｆイオン、Ａｌイオン、Ｎａイオンのイオン濃度の総量が４１８ｍｇ／Ｌ以上となる水であるが、カチオンとアニオンとのバランス、Ａｌイオンが多量に含まれることはほとんどないという点から、例えば、Ｆイオン、Ｎａイオンのイオン濃度は、それぞれ１００〜３００ｍｇ／Ｌ程度、好ましくは１３０〜２３０ｍｇ／Ｌ程度であり、Ａｌイオンのイオン濃度は、０．１〜２０ｍｇ／Ｌ程度、好ましくは１〜３ｍｇ／Ｌ程度である。
【００３１】
本実施形態に係る水処理方法および水処理装置の処理対象となる被処理水は、Ｆイオン、Ａｌイオン、Ｎａイオンを含み、逆浸透膜処理の濃縮水におけるＦイオン、Ａｌイオン、Ｎａイオンのイオン濃度がそれぞれ０．１ｍｇ／Ｌ以上かつ、Ｆイオン、Ａｌイオン、Ｎａイオンのイオン濃度の総量が４１８ｍｇ／Ｌ以上となる水であればよく、特に制限はない。被処理水は、例えば、Ｆイオンのイオン濃度が２９０ｍｇ／Ｌ以上、Ａｌイオンのイオン濃度が１．６ｍｇ／Ｌ以上、Ｎａイオンのイオン濃度が２７０ｍｇ／Ｌ以上かつ、Ｆイオン、Ａｌイオン、Ｎａイオンのイオン濃度の総量が５６１．６ｍｇ／Ｌ以上となる水であり、逆浸透膜処理の濃縮水におけるＦイオンのイオン濃度が４８３ｍｇ／Ｌ以上、Ａｌイオンのイオン濃度が３．０ｍｇ／Ｌ以上、Ｎａイオンのイオン濃度が４３７ｍｇ／Ｌ以上かつ、Ｆイオン、Ａｌイオン、Ｎａイオンのイオン濃度の総量が９２３ｍｇ／Ｌ以上となる水である。処理対象となる被処理水としては、例えば、半導体工場の排水、ガラス加工工場の排水等が挙げられる。
【００３２】
半導体工場の排水等を逆浸透膜で処理する際に、回収率を向上させるため、逆浸透膜処理で得られた濃縮水をさらに逆浸透膜処理することがある。後段の逆浸透膜処理では各種イオン濃度が高くなるため、後段の逆浸透膜処理の入口水（被処理水）にＦイオン、Ａｌイオン、Ｎａイオンが合計４１８ｍｇ／Ｌ以上含まれる場合、スケールによる後段の逆浸透膜処理の透過水量の低下が懸念される。このような形態の水処理装置の例の概略構成を図２に示す。
【００３３】
図２の水処理装置３は、Ｆイオン、Ａｌイオン、Ｎａイオンを含む被処理水を逆浸透膜に通水して濃縮水と透過水とを得る逆浸透膜処理手段として逆浸透膜処理装置１０と、逆浸透膜処理装置１０の前段に前段逆浸透膜処理手段として前段逆浸透膜処理装置２４とを備える。逆浸透膜処理装置１０（逆浸透膜処理工程）の被処理水が、前段逆浸透膜処理装置２４（前段逆浸透膜処理工程）で得られる濃縮水である。また、逆浸透膜処理装置１０（逆浸透膜処理工程）で用いられる洗浄水として前段逆浸透膜処理装置２４（前段逆浸透膜処理工程）で得られる透過水を用いてもよい。
【００３４】
図２の水処理装置３において、前段逆浸透膜処理装置２４の入口には、前段被処理水配管２６が接続されている。前段逆浸透膜処理装置２４の濃縮水出口には、前段濃縮水配管２８がバルブ３２を介して接続され、前段逆浸透膜処理装置２４の透過水出口には、前段透過水配管３０がバルブ３４を介して接続されている。前段濃縮水配管２８におけるバルブ３２の上流側と、逆浸透膜処理装置１０の入口とは、被処理水配管１２によりバルブ２０を介して接続されている。前段透過水配管３０におけるバルブ３４の上流側と、被処理水配管１２におけるバルブ２０の下流側とは、洗浄水配管１４によりバルブ２２を介して接続されている。逆浸透膜処理装置１０の濃縮水出口には、濃縮水配管１６が接続され、逆浸透膜処理装置１０の透過水出口には、透過水配管１８が接続されている。前段濃縮水配管２８は、濃縮水配管１６の途中に接続されていてもよい。濃縮水配管１６には、濃縮水中のＦイオン、Ａｌイオン、Ｎａイオン等のイオン濃度を測定するイオン濃度測定手段として、イオン濃度測定装置が設置されてもよい。透過水配管１８には、透過水の流量を測定する流量測定手段として流量計と、透過水の圧力を測定する圧力測定手段として圧力計と、透過水の温度を測定する水温測定手段として水温計と、が設置されてもよい。
【００３５】
図２の水処理装置３において、Ｆイオン、Ａｌイオン、Ｎａイオンを含む前段被処理水は、バルブ３２、バルブ２２が閉状態、バルブ２０、バルブ３４が開状態とされ、前段被処理水配管２６を通して前段逆浸透膜処理装置２４へ送液され、前段逆浸透膜処理装置２４において逆浸透膜に通水されて前段濃縮水と前段透過水とが得られる（前段逆浸透膜処理工程）。前段逆浸透膜処理で得られた前段濃縮水は、前段濃縮水配管２８、被処理水配管１２を通して被処理水として逆浸透膜処理装置１０へ送液される。前段透過水は、前段透過水配管３０を通して排出される。
【００３６】
前段逆浸透膜処理装置２４（前段逆浸透膜処理工程）で得られた前段濃縮水の少なくとも一部は被処理水として、逆浸透膜処理装置１０において逆浸透膜に通水されて濃縮水と透過水とが得られる（逆浸透膜処理工程）。逆浸透膜処理で得られた濃縮水は、濃縮水配管１６を通して排出され、透過水は、透過水配管１８を通して排出される。
【００３７】
ここで、イオン濃度測定装置により測定された、濃縮水におけるＦイオン、Ａｌイオン、Ｎａイオンのイオン濃度がそれぞれ０．１ｍｇ／Ｌ以上であり、かつ、Ｆイオン、Ａｌイオン、Ｎａイオンのイオン濃度の総量が４１８ｍｇ／Ｌ以上となり、例えば流量計により測定された透過水の流量（ｍ３／ｄ）、圧力計により測定された透過水の圧力（ＭＰａ）、水温計により測定された透過水の水温（℃）の値から算出される標準化透過水量（ｍ／ｄ／ＭＰａ  ａｔ  ２５℃）と、予め設定された初期標準化透過水量（ｍ／ｄ／ＭＰａ  ａｔ  ２５℃）との比率が規定値となったときに、バルブ２０が閉状態、バルブ２２、バルブ３２が開状態とされ、被処理水の通水を、濃縮水におけるＦイオン、Ａｌイオン、Ｎａイオンのイオン濃度の総量が４１８ｍｇ／Ｌ未満である洗浄水、すなわち前段透過水の通水に切り替え、逆浸透膜処理装置１０の逆浸透膜の洗浄が行われる（洗浄工程）。これにより、前段逆浸透膜処理装置２４で得られた前段透過水を用いて後段の逆浸透膜処理装置１０の洗浄を行うことができる。このとき、バルブ３４は、閉状態としてもよいし、開度を適宜調整してもよい。
【００３８】
これにより、Ｆイオン、Ａｌイオン、Ｎａイオンを含む被処理水を逆浸透膜処理するときに発生するスケールを簡易な方法で除去することができる。
【実施例】
【００３９】
以下、実施例および比較例を挙げ、本発明をより具体的に詳細に説明するが、本発明は、以下の実施例に限定されるものではない。
【００４０】
＜実施例１＞
Ｆイオン、Ａｌイオン、Ｎａイオンをそれぞれ含む被処理水を、図１に示す水処理装置に通水した。逆浸透膜として日東電工社製ＬＦＣ３を使用した。逆浸透膜処理の回収率を４０％で運転したところ、濃縮水濃度で各イオンの総量が４１８ｍｇ／Ｌ以上となった。被処理水および濃縮水の水質を表１に示す。
【００４１】
【表１】
2020121278.tif 000002
【００４２】
通水をするにつれて、Ｎａ３ＡｌＦ６を主成分とすると推定されるスケールにより逆浸透膜の透過水量が低下した。２５℃、１ＭＰａあたりに補正した標準化透過水量（ｍ／ｄ／ＭＰａ  ａｔ  ２５℃）が、初期標準化透過水量（ｍ／ｄ／ＭＰａ  ａｔ  ２５℃）と比較して規定値以下となった時点で純水による洗浄を実施した。規定値（（標準化透過水量／初期標準化透過水量）×１００）は実施例１では５０〜７５％、実施例２では２５〜４０％とした。洗浄用の純水には、電気伝導率２０μＳ／ｃｍ以下のＲＯ透過水（濃縮水におけるＦイオン、Ａｌイオン、Ｎａイオンのイオン濃度の総量が０．１ｍｇ／Ｌ）を用いた。比較例では純水による洗浄を行わなかった。
【００４３】
実施例１，２および比較例における、透過水量保持率（％）（（標準化透過水量／初期標準化透過水量）×１００）の経時変化を図３に示す。実施例１では洗浄の度に透過水量保持率がほぼ１００％まで回復しているが、実施例２では１００％まで回復していない。このことから、洗浄を実施する場合でも、標準化透過水量が初期標準化透過水量の５０％以下となる前に洗浄を実施する方が、安定した運転を継続できるといえる。洗浄をまったく行わない比較例の場合、通水開始後４００時間程度で透過水が得られなくなった。
【００４４】
このように、実施例の方法により、Ｆイオン、Ａｌイオン、Ｎａイオンを含む被処理水を逆浸透膜処理するときに発生するスケールを簡易な方法で除去することができた。
【符号の説明】
【００４５】
１，３  水処理装置、１０  逆浸透膜処理装置、１２  被処理水配管、１４  洗浄水配管、１６  濃縮水配管、１８  透過水配管、２０，２２，３２，３４  バルブ、２４  前段逆浸透膜処理装置、２６  前段被処理水配管、２８  前段濃縮水配管、３０  前段透過水配管。
【図１】
2020121278.tif 000003
【図２】
2020121278.tif 000004
【図３】
2020121278.tif 000005